(57)【特許請求の範囲】
【請求項１】
筒体内を複数のレンズ群が光軸に沿って移動可能に保持されたレンズ鏡胴において、
前記複数のレンズ群のうち少なくとも１つのレンズ群は前記筒体内の周辺部に配設された駆動モータにより光軸に沿って移動されるとともに、前記複数のレンズ群のうちいずれかのレンズ群のレンズ枠には、前記駆動モータの側面の一部を覆うことができるカバー部材が、前記駆動モータに対して光軸側で、かつ、前記駆動モータに近接し、前記駆動モータのカバー部材に覆われる部分の外周形状に倣った円弧状の側面形状を有して延設されていることを特徴とするカメラのレンズ鏡胴。
【請求項２】
前記駆動モータにより光軸に沿って移動される少なくとも１つのレンズ群と、前記レンズ枠にカバー部材が延設されているいずれかのレンズ群とは同一である請求項１に記載のカメラのレンズ鏡胴。
【請求項３】
前記レンズ枠にカバー部材が延設されているレンズ群は、フォーカスレンズ群である請求項１又は２に記載のカメラのレンズ鏡胴。
【発明の詳細な説明】
【０００１】
【発明の属する技術分野】
本発明はカメラのレンズ鏡胴に係り、特に小型で高画素のデジタルカメラに好適に適用されるカメラのレンズ鏡胴に関する。
【０００２】
【従来の技術】
近年、デジタルカメラは、そのコンパクト化の要請から不使用時にレンズ鏡胴をカメラ本体内に収納できるように構成したものが増えている。すなわち、撮影レンズを構成する各レンズ群を光軸に沿って移動可能に支持し、撮影時にのみ所定の位置まで繰り出して撮影を行い、不使用時は沈胴状態でカメラ本体内に収納できるように構成したものが増えている。
【０００３】
ところで、近年、デジタルカメラのレンズ鏡胴は、そのズームの高倍率化とともに、光学系そのものの高性能化も要求されており、レンズの構成枚数、構成群数が増えるようになっている。その一方で、よりコンパクトなレンズ鏡胴とするために、モータ等の駆動装置をレンズ鏡胴内に収納するように構成したものも増えている。たとえば、特開２０００−８９０７９号公報、特開２０００−２７５４９９号公報にこのような構成例が開示されている。
【０００４】
【発明が解決しようとする課題】
しかしながら、前記従来のレンズ鏡胴は、鏡胴内に収納されるモータの光沢面に入射光が反射し、その反射光が受光素子であるＣＣＤに入射し、その結果撮影上の欠陥を生じる懸念があった。特に、テレ側撮影時においてはこの傾向が強かった。
【０００５】
この対策として、モータの光沢面に反射防止の部材を別途取り付ける構成、モータの表面に黒のつや消し塗装を施す構成等が考えられる。すなわち、通常市販されているステッピングモータ等の表面は金属光沢のものがほとんどであり、このような対策が必要であった。
【０００６】
ところが、このような対策を採った場合には、塗装等による工数の増加やモータの特別仕様等の材料費の増加等となり好ましくない。
【０００７】
本発明は、このような事情に鑑みてなされたもので、鏡胴を小型化することができるとともに、工数の増加と材料費の増加等を要せずに、入射光の害を防ぐことができる、カメラのレンズ鏡胴を提供することを目的とする。
【０００８】
【課題を解決するための手段】
本発明は、前記目的を達成するために、筒体内を複数のレンズ群が光軸に沿って移動可能に保持されたレンズ鏡胴において、前記複数のレンズ群のうち少なくとも１つのレンズ群は前記筒体内の周辺部に配設された駆動モータにより光軸に沿って移動されるとともに、前記複数のレンズ群のうちいずれかのレンズ群のレンズ枠には、前記駆動モータの側面の一部を覆うことができるカバー部材が、前記駆動モータに対して光軸側で、かつ、前記駆動モータに近接し、前記駆動モータのカバー部材に覆われる部分の外周形状に倣った円弧状の側面形状を有して延設されていることを特徴とするカメラのレンズ鏡胴を提供する。
【０００９】
本発明によれば、１つのレンズ群のレンズ枠には、駆動モータの側面の一部を覆うことができるカバー部材が延設されているので、鏡胴を小型化することができるとともに、工数の増加と材料費の増加等を要せずに、入射光の反射による害を防ぐことができる。
【００１０】
また、レンズ枠を構成する部材は、通常は黒色であり、入射光を有効に防止でき、これと相俟って入射光の反射による害を防ぐことができる。
【００１１】
更に、レンズ枠に延設されるカバー部材は、射出成形により量産が容易なことが多く、工数と材料費の低減が図れる。
【００１２】
【発明の実施の形態】
以下、添付図面に従って本発明に係るカメラのレンズ鏡胴の好ましい実施の形態について詳説する。図１は、本発明に係るカメラのレンズ鏡胴が適用されるデジタルカメラの外観構成を示す斜視図である。
【００１３】
同図に示されるように、このデジタルカメラ１は、そのカメラ本体が矩形の箱型に形成されており、その正面部にはレンズ鏡胴２、ファインダ窓３、ストロボ調光センサ４、セルフタイマーランプ５などが配設されている。また、その上面部にはポップアップ式のストロボ６や、レリーズスイッチ７などが配設され、その背面部には、図示しないファインダ接眼部や液晶表示パネル、操作キーなどが配設されている。このデジタルカメラ１は沈胴式であり、レンズ鏡胴２は使用時にのみカメラ本体から繰り出され、カメラ本体の正面部から突出する。
【００１４】
図２〜図４は、それぞれ上記のデジタルカメラ１に適用されるレンズ鏡胴２の側断面図である。なお、図２は、レンズ鏡胴２がワイド位置の状態のときを示しており、図３と図４は、それぞれレンズ鏡胴２がテレ位置の状態のときと沈胴位置の状態のときとを示している。
【００１５】
図２〜図４に示されるように、このレンズ鏡胴２は、第１ズームレンズ群１２、第２ズームレンズ群１４、フォーカスレンズ１６、第１ズームレンズ筒１８、第２ズームレンズ筒（第２レンズ枠に相当）２０、カム筒２２、固定筒２４、駆動筒２６及び絞りシャッターユニット２８等から構成されている。
【００１６】
駆動筒２６の外周には、ギヤ部２６ａが形成され、ギヤ部２６ａにズーム用モータ（不図示）の駆動力が伝達される。このモータの駆動力によって駆動筒２６は、光軸３０を回転中心として固定筒２４の外周に接しながら回動する。
【００１７】
また、レンズ鏡胴２は、駆動筒２６が『初期位置』から『中間位置』までの『収納回転域』で回転することにより、沈胴位置からテレ位置に移動される。また、駆動筒２６が『中間位置』から『終端位置』までの『変倍回転域』で回転することによりテレ位置からワイド位置に移動される。
【００１８】
駆動筒２６の内周面には、カム筒２２を光軸３０に沿って移動させるための直進溝２６ｂが形成されている。直進溝２６ｂは、カム従動子３２を介してカム筒２２に駆動筒２６の回転力を伝達する。
【００１９】
固定筒２４には、第２ズームレンズ筒２０を光軸３０に沿って移動させる直進溝２４ａと、カム筒２２を光軸３０に沿って移動させるカム溝２４ｂとが形成されている。
【００２０】
カム筒２２の外周面には、カム従動子３２が設けられている。このカム従動子３２は、カム溝２４ｂに嵌合されるとともに、カム溝２４ｂを貫通して直進溝２６ｂに嵌合されている。したがって、カム筒２２は、駆動筒２６の回転に連動して回転しながら、固定筒２４に対して光軸３０方向に前後移動する。また、カム筒２２の内周面には、第１カム溝２２ａが形成されている。なお、カム溝２４ｂ、直進溝２６ｂ、及びカム従動子３２は、光軸３０の回りの３分割位置にそれぞれ設けられている。
【００２１】
第１ズームレンズ筒１８の内部には、第１ズームレンズ群１２が保持されている。また、第１ズームレンズ筒１８の内周面には、直進溝３４が形成され、さらに第１ズームレンズ筒１８の外周面には、第１カム溝２２ａに嵌合するカム従動子３６が設けられている。したがって、第１ズームレンズ筒１８は、カム筒２２が回転することにより第２ズームレンズ筒２０による直進ガイド作用（後述）とカム筒２２の第１カム溝２２ａの送り作用とによってカム筒２２に対して光軸３０方向に前後移動する。なお、カム従動子３６、及び第１カム溝２２ａは、光軸３０回りの３分割位置にそれぞれ設けられている。
【００２２】
第２ズームレンズ筒２０の内部には、第２ズームレンズ群１４が保持されている。第２ズームレンズ筒２０の外周面には、カム筒２２の第２カム溝２２ｂに嵌合するカム従動子３８が設けられている。第２ズームレンズ筒２０の前端には、先端アーム部５０が形成され、各先端アーム部５０の先端の外周面側には、直進ガイド突起５２が形成されている。これらの直進ガイド突起５２が、第１ズームレンズ筒１８の直進溝３４に嵌合されていることにより、先に述べた直進ガイド作用が生じている。なお、カム従動子３８、第２カム溝２２ｂ、直進ガイド突起５２、及び直進溝３４は、光軸３０回りの３分割位置にそれぞれ設けられている。
【００２３】
また、第２ズームレンズ筒２０の後端には、後端アーム部５１が形成され、各後端アーム部５１の後端の外周面側には、直進ガイド突起５３が形成されている。これらの直進ガイド突起５３が、固定筒２４の直進溝２４ａに嵌合されていることにより、直進ガイド作用が生じている。
【００２４】
すなわち、第２ズームレンズ筒２０は、駆動筒２６の回転によって、駆動力がカム筒２２及び第１ズームレンズ筒１８を介して伝達され固定筒２４に対し、光軸３０方向に前後移動する。なお、直進ガイド突起５３、及び直進溝２４ａは、光軸３０回りの３分割位置にそれぞれ設けられている。
【００２５】
以上の構成によれば、第１ズームレンズ筒１８、第２ズームレンズ筒２０、カム筒２２、固定筒２４及び駆動筒２６のうち、固定筒２４は、後端がベースＢに固定され不動であり、第１ズームレンズ筒１８及び第２ズームレンズ筒２０は回転方向の動きが拘束されており、光軸３０方向にのみ前後移動する。駆動筒２６は固定筒２４に対し光軸３０方向の動きが拘束されており、回転するのみである。カム筒２２は駆動筒２６により回転されるとともに、光軸３０方向にも前後移動する。
【００２６】
なお、各図において、符号１０ａはレンズ鏡胴２の結像面を示し、この位置にＣＣＤ（不図示）の結像面が配置される。
【００２７】
フォーカスレンズ１６は、第２ズームレンズ群１４の後段位置に配されており、フォーカスレンズ枠４０に保持されている。フォーカスレンズ枠４０は、フォーカスレンズ駆動ユニット６０により支持されている。ここでは、フォーカスレンズ枠４０が固定筒２４内を光軸に沿って移動自在に支持される。
【００２８】
レンズ鏡胴２は、フォーカスレンズ枠４０を光軸３０に沿って移動させることによりピント合わせを行うが、このフォーカスレンズ枠４０の駆動は、次に説明するフォーカスレンズ駆動ユニット６０によって行われる。
【００２９】
フォーカスレンズ駆動ユニット６０は、駆動モータ６２、ねじ軸６４ａ及びナット６４ｂとの組み合わせからなるボールねじユニット６４、略コ字形状をしたブラケット６６とで構成される。
【００３０】
ブラケット６６の一端はベースＢに固定されており、ブラケット６６の他端には駆動モータ６２が固定されている。ボールねじユニット６４のねじ軸６４ａはブラケット６６によって、両端部が回動自在に支持されている。また、ブラケット６６の他端部において、ねじ軸６４ａは駆動モータ６２の軸に連結されている。また、ボールねじユニット６４のナット６４ｂはねじ軸６４ａに対しての回動を妨げられるように摺動自在に支持されている。したがって、駆動モータ６２を運転し、ねじ軸６４ａを回動させると、ナット６４ｂは、ねじ軸６４ａの回転量に応じて前後移動する。
【００３１】
フォーカスレンズ枠４０はナット６４ｂに固定された連結部材６８により支持されている。したがって、駆動モータ６２を運転し、ねじ軸６４ａを回動させると、フォーカスレンズ枠４０で支持されたフォーカスレンズ１６は、ねじ軸６４ａの回転量に応じて前後移動することとなる。
【００３２】
また、フォーカスレンズ枠４０には、駆動モータ６２の側面の一部を覆うことができるカバー部材７０が延設されている。このカバー部材７０は、駆動モータ６２に入射光が反射し、その反射光が受光素子であるＣＣＤに入射することを防止できる機能が得られるものであれば、その形状、材質等に制限はない。
【００３３】
ただし、図５に示されるように、駆動モータ６２に対して光軸３０側に、かつ、駆動モータ６２に近接して配され、側面形状が駆動モータ６２の外周形状に倣った円弧状であれば、鏡胴を小型化することができるとともに、入射光の反射による害を有効に防ぐことができるので好ましい。
【００３４】
カバー部材７０の材質としては、各種樹脂材料であれば、成形精度、製造コスト、重量、耐腐食性等の点で好ましい。また、カバー部材７０が黒色で艶消し表面となっていれば、光がカバー部材７０で反射する懸念も少なく、好ましい。
【００３５】
フォーカスレンズ枠４０のカバー部材７０の反対側には、遮光羽根７４が固定されており、また、遮光羽根７４の被写体側（図２〜図４では左側）には遮光カバー７６が設けられている。また、ベースＢには略π字形状のフォトインタラプタ７２が遮光カバー７６を挟むように固定されている。上記構成の図２におけるＡ−Ａ線矢視図が図６に示される。
【００３６】
フォトインタラプタ７２は、フォーカスレンズ１６の原点位置検出等に使用されるもので、遮光羽根７４と組み合わせて使用される。すなわち、図６に示されるフォトインタラプタ７２の溝部７２ａの片側の側壁から光が出射され、溝部７２ａの反対側の側壁で受光される。この光が遮光羽根７４により遮られることにより、フォーカスレンズ１６の原点位置が検出できるように構成されている。
【００３７】
ところが、鏡胴内に入り込む入射光がフォトインタラプタ７２の溝部７２ａに入射すると誤動作の原因にもなる。そこで、前述した位置に遮光カバー７６が設けられており、このような誤動作を防いでいる。
【００３８】
なお、本実施形態の例では、フォーカスレンズ１６は他のレンズ群と異なり１枚の構成としたが、当然２枚以上のレンズからなるレンズ群としてもよい。
【００３９】
以上、本発明に係るカメラのレンズ鏡胴の実施形態の例について説明したが、本発明は上記実施形態の例に限定されるものではなく、各種の態様が採り得る。たとえば、本実施の形態では、駆動モータ６２により光軸３０に沿って移動される１つのレンズ群と、レンズ枠にカバー部材７０が延設されている１つのレンズ群とは同一であるフォーカスレンズ１６であるが、他の組み合わせの場合にも同様に適用することができる。
【００４０】
たとえば、駆動モータ６２により光軸３０に沿って移動される１つのレンズ群がフォーカスレンズ１６であり、レンズ枠にカバー部材７０が延設されている１つのレンズ群が第２ズームレンズ群１４である構成でも適用することができる。
【００４１】
また、上記の実施の形態では、３群構成のズームレンズとしているが、本発明ではこれに限らず３群以上の構成でもよい。
【００４２】
たとえば、４群構成のズームレンズにおいて、第１群と第２群のレンズ群を３本宙吊りで支持するようにし、第３群と第４群のレンズ群をガイド棒で支持するように構成してもよい。なお、この場合、レンズ群の直径に応じて３本宙吊りで支持するか、ガイド棒で支持するかを選択することが好ましい。すなわち、直径の大きい２つのレンズ群を３本宙吊りで支持し、残りのレンズ群をガイド棒で支持する。これにより、各レンズ群を安定して動作させることができる。
【００４３】
また、ズームレンズカメラに限らず、例えばテレ位置、ワイド位置、及び沈胴位置とに切り換わる２焦点カメラにも本発明を適用することができる。
【００４４】
また、上記の実施の形態では、沈胴位置とワイド位置との間にテレ位置を設定しているが、沈胴位置とテレ位置との間にワイド位置を設定することも可能である。この場合には変倍用案内部と収納用案内部との境界がワイド位置となる。
【００４５】
また、上記の実施の形態では、直進溝３４及び直進ガイド突起５２等を光軸回りの３分割位置に設けているが、直進溝３４及び直進ガイド突起５２等は、それぞれ光軸回りの２箇所の位置に設けてもよい。
【００４６】
【発明の効果】
以上説明したように、本発明に係るレンズ鏡胴によれば、１つのレンズ群のレンズ枠には、駆動モータの側面の一部を覆うことができるカバー部材が延設されているので、鏡胴を小型化することができるとともに、工数の増加と材料費の増加等を要せずに、入射光の反射による害を防ぐことができる。
【図面の簡単な説明】
【図１】本発明に係るレンズ鏡胴が適用されたデジタルカメラの斜視図
【図２】レンズ鏡胴の構成を示す側断面図（繰出状態（ワイド端））
【図３】レンズ鏡胴の構成を示す側断面図（繰出状態（テレ端））
【図４】レンズ鏡胴の構成を示す側断面図（沈胴状態）
【図５】第１ズームレンズ筒を光軸に交差する方向で切断して示した断面図
【図６】フォトインタラプタ等の構成を示す図２のＡ−Ａ線矢視図
【符号の説明】
１…デジタルカメラ、２…レンズ鏡胴、１２…第１ズームレンズ群、１４…第２ズームレンズ群、１６…フォーカスレンズ、１８…第１ズームレンズ筒、２０…第２ズームレンズ筒、２２…カム筒、２４…固定筒、２６…駆動筒、３０…光軸、４０…フォーカスレンズ枠、６２…駆動モータ、７０…カバー部材
【図１】
0004000451.tif 000002
【図２】
0004000451.tif 000003
【図３】
0004000451.tif 000004
【図４】
0004000451.tif 000005
【図５】
0004000451.tif 000006
【図６】
0004000451.tif 000007